(57)【要約】【課題】  鍵穴が室外側に露出せず、防犯効果の高い玄関ドアを提供する。【解決手段】  本玄関ドア１は、建築物に設けられた出入枠２と、出入枠２の内側に軸吊りにより開閉自在に固定された扉３と、出入枠２側に配設されたシリンダーケース４１から出入りするデットボルト４２により扉３を施解錠する電気錠４と、電気錠４の出入枠２に設けられている鍵穴４３の前面を覆うように出入枠２に着脱自在に取り付けられた新聞受け５と、を具備するものである。【選択図】      図１
2007032150.tif 000002
【特許請求の範囲】
【請求項１】
建築物に設けられた出入枠と、
該出入枠の内側に軸吊りにより開閉自在に固定された扉と、
前記出入枠側に配設されたシリンダーケースから出入りする係止部材により前記扉を施解錠する電気錠と、
該電気錠の前記出入枠に設けられている鍵穴の前面を覆うように前記出入枠に着脱自在に取り付けられた鍵穴隠し部材と、
を具備することを特徴とする玄関ドア。
【請求項２】
前記鍵穴隠し部材が前記出入枠から取り外されたことを検出する検出手段と、
該検出手段が前記鍵穴隠し部材の前記出入枠からの離脱を検出した場合に、所定時間後に警報を発生するとともに、所定の外部通信端末に異常発生を通報する警報通報手段と、
を具備することを特徴とする請求項１記載の玄関ドア。
【請求項３】
前記鍵穴隠し部材は、新聞受けであることを特徴とする請求項１又は２記載の玄関ドア。
【発明の詳細な説明】
【技術分野】
【０００１】
本発明は、建築物の玄関部に設けられる玄関ドアに関し、詳しくは、防犯効果の高い玄関ドアに関する。
【背景技術】
【０００２】
住宅やマンション、事務所等の玄関部に設けられる玄関ドアは、躯体等に固定された出入枠と、該出入枠の内側に開閉自在に固定された扉と、該扉を施解錠する施錠機構を主体として構成されており、玄関ドアの防犯性能は、施錠機構に大きく依存するため、いかなる施錠機構を用いるかは、防犯上重要な問題である。
【０００３】
玄関ドアは、キーをノブ近傍に設けられた鍵穴に差し込んで手動で回動させて扉の施解錠を行うものが一般的であるが、近年、電気錠により扉の施解錠を行う玄関ドアも普及してきている（例えば、特許文献１参照）。このような電気錠を用いた玄関ドアによると、キーから発せられる電波により遠隔的に扉の施解錠を行うことができ、キーを鍵穴に差し込んで施解錠する手間を省くことができる。
【特許文献１】特開２０００−３２８８２３号公報
【発明の開示】
【発明が解決しようとする課題】
【０００４】
ところで、特許文献１の玄関ドアのように電気錠を用いた玄関ドアであっても、停電時やキー側の電池が切れた場合等の非常時に鍵穴にキーを差し込んで解錠する場合も想定されるため、鍵穴が室外側から見えるように露出して設けてある。
【０００５】
しかしながら、室外側に露出した鍵穴にピッキング工具を差し込まれて解錠されたり、ピッキングされにくいシリンダーを用いた場合でも、鍵穴の位置から扉を出入枠に係止するデットボルトの位置が分かるため、該デットボルトが工具により切断されて扉が開かれたり、また、シリンダー自体が破壊されて扉が開かれ、盗難被害に遭うことがあった。
【０００６】
本発明は、上記の課題に鑑みてなされたものであり、鍵穴が室外側に露出せず、防犯効果の高い玄関ドアを提供することを目的とする。
【課題を解決するための手段】
【０００７】
上記目的を達成するために、請求項１記載の玄関ドアは、建築物に設けられた出入枠と、該出入枠の内側に軸吊りにより開閉自在に固定された扉と、前記出入枠側に配設されたシリンダーケースから出入りする係止部材により前記扉を施解錠する電気錠と、該電気錠の前記出入枠に設けられている鍵穴の前面を覆うように前記出入枠に着脱自在に取り付けられた鍵穴隠し部材と、を具備することを特徴としている。
【０００８】
請求項２記載の玄関ドアは、請求項１記載の玄関ドアにおいて、前記鍵穴隠し部材が前記出入枠から取り外されたことを検出する検出手段と、該検出手段が前記鍵穴隠し部材の前記出入枠からの離脱を検出した場合に、所定時間後に警報を発生するとともに、所定の外部通信端末に異常発生を通報する警報通報手段と、を具備することを特徴としている。
【０００９】
請求項３記載の玄関ドアは、請求項１又は２記載の玄関ドアにおいて、前記鍵穴隠し部材は、新聞受けであることを特徴としている。
【発明の効果】
【００１０】
本発明の請求項１の玄関ドアによれば、建築物に設けられた出入枠と、該出入枠の内側に軸吊りにより開閉自在に固定された扉と、前記出入枠側に配設されたシリンダーケースから出入りする係止部材により前記扉を施解錠する電気錠と、該電気錠の前記出入枠に設けられている鍵穴の前面を覆うように前記出入枠に着脱自在に取り付けられた鍵穴隠し部材と、を具備するため、電気錠の鍵穴が室外側に露出せず、ピッキング等を防止でき、高い防犯効果を得ることができる。
【００１１】
請求項２の玄関ドアによれば、請求項１記載の玄関ドアの効果に加えて、鍵穴隠し部材が出入枠から取り外された場合に、所定時間後に警報を発生するとともに、所定の外部通信端末に異常発生を通報するため、より高い防犯効果を得ることができる。
【００１２】
請求項３の玄関ドアによれば、請求項１又は２記載の玄関ドアの効果に加えて、鍵穴隠し部材が新聞受けであるため、違和感なく電気錠の鍵穴が室外側に露出しないようにできる。
【発明を実施するための最良の形態】
【００１３】
以下、本発明の実施の形態に係る玄関ドアについて図面に基づいて説明するが、具体例として、マンションの住戸の玄関部に設けられた玄関ドアについて説明する。
図１及び図２は、本実施の形態に係る玄関ドア１の概略構成を示す正面図であり、図示するように、出入枠２、扉３、電気錠４、新聞受け（鍵穴隠し部材）５、センサ（検出手段）６、及び警報通報装置（警報通報手段）７を主体に構成される。
【００１４】
出入枠２は、住宅やマンション、事務所等の建築物の玄関部に設けられるものであり、鋼製の上出入枠２０、下出入枠２１、第１袖出入枠２２、及び第２袖出入枠２３とからなるものである。上出入枠２０の両端部がそれぞれ第１袖出入枠２２、及び第２袖出入枠２３の上端部に固定され、第１袖出入枠２２、及び第２袖出入枠２３の下端部が下出入枠２１の両端部に固定されて出入枠２を形成し、躯体に固定されて前記玄関部の出入口を形成している。下出入枠２１は、その下方の一部が床に埋め込まれており、出入りの障害とならないようになされている。第１袖出入枠２２、及び第２袖出入枠２３の内部には、図３に示すように、ロックウール等の断熱材２４が充填されている。
【００１５】
第１袖出入枠２２は、図１に示すように、正面視において所定の幅を有しており、その室外側に室番号２５、入居者名札２６、カメラ付きインターホン２７、電気錠４の受信器４０が設けられており、また、その内部にシリンダーケース４１が配設されている。このように、シリンダーケース４１が第１袖出入枠２２内部に配設されているため、該シリンダーケース４１に電力を供給する電気配線４２も、図１及び図２に示すように、第１袖出入枠２２内部に配設されている。このように、シリンダーケース４１が扉３側に配設された場合のように電気配線４２が可動部を通ることがないため、電気配線４２が切れる等の故障が発生しにくい。また、第１袖出入枠２２には、図１に示すように、前記シリンダーケース４１の鍵穴４３が設けられ、該鍵穴４３の近傍にセンサ６が設けられており、それら鍵穴４３及びセンサ６の前面を覆うように新聞受け５がボルトにより着脱自在に取り付けられている。さらに、図２に示すように、第１袖出入枠２２の室内側には、点検蓋２８が設けられている。
【００１６】
扉３は、出入枠２の内側に軸吊りにより開閉自在に固定された扉であり、図３に示すように、第２袖出入枠２３側の上下端部においてヒンジ３０により中心吊りで軸吊りされている。そのため、扉３は、丁番により出入枠２に開閉自在に固定された扉のように扉ごと出入枠から外されることがなく、防犯上好ましい。この扉３の第１袖出入枠２２側の端面には、前記シリンダーケース４１から出入りするデットボルト（係止部材）４２に対応する孔３１が穿設されている。また、扉３には、図１及び図２に示すように、扉３を開閉するためのプッシュハンドル３２、訪問者等を確認するためのドアスコープ３３、図２に示すように、扉３を自閉させるドアクローザ３４、扉３が一定間隔以上開かないようにするストッパ３５が設けられている。ドアスコープ３３は、蓋付きのものであれば、室外側から室内が見えず、防犯上好ましい。
【００１７】
電気錠４は、受信器４０、シリンダーケース４１、及び図示しない制御盤を具備し、出入枠２側にシリンダーケース４１が配設され、該シリンダーケース４１から出入りするデットボルト４２により扉３を施解錠するものである。具体的には、室外側においては、図４に示すキー８のボタン８０が押されることによって発せられる電波を受信器４０が受け取り、ID照合結果を制御盤に出力し、該制御盤の制御信号によりモータ（不図示）が駆動してデットボルト４４をシリンダーケース４１から扉３側に突出させて孔３１に挿入して施錠し、キー８が受信器４０にかざされることによって、施錠時と同様に、受信器４０が電波を受け取り、制御盤の制御信号によりデットボルト４４をシリンダーケース４１に後退させて解錠する。また、電気錠４は、キー８をシリンダーケース４１の鍵穴４３に差し込んで回動させることによっても施解錠することができる。また、室内側においては、壁に設けられたタッチスイッチ（不図示）が操作されることにより制御盤に信号が入力され、該信号に応じて施解錠するが、停電や故障時は、図２に示すように、第１袖出入枠２２に設けられた点検蓋２８を開いてシリンダーケース４１のサムターン４５を回動させることにより施解錠することができる。
【００１８】
新聞受け５は、新聞を上方から挿通させるために平面視略長方形の筒状に形成された筒部５０と、新聞の下方を受けるために上方に開口部を有する筐体である受け部５１からなるものである。筒部５０は、受け部５１の上方において出入枠２にボルトにより取り付けられている。受け部５１は、電気錠４の鍵穴４３が室外側に露出しないよう、該鍵穴４３の前面を覆うように出入枠２にボルトにより着脱自在に取り付けられており、また、鍵穴４３の前面とともにセンサ６の室外側前面をも覆っている。
【００１９】
センサ６は、電気錠４の鍵穴４３の近傍の第１袖出入枠２２内に設けられるとともに、その室外側前面が新聞受け５の受け部５０により覆われており、該受け部５０が出入枠２から取り外されたことを検出する検出手段として機能するセンサであり、例えば、反射型光センサである。
【００２０】
警報通報装置７は、図５に示すように、制御部（ＣＰＵ：Central Processing Unit）７０、ＲＯＭ（Read Only Memory）７１、ＲＡＭ（Random Access Memory）７２、通信部７３、操作部７４、及び表示部７５を備えており、前記センサ６及び各部７０乃至７５は、バス７６によって通信可能に接続されている。
【００２１】
制御部７０は、ＲＯＭ７１に格納された制御プログラムに従って、警報通報装置７を構成する各部を制御する。ＲＯＭ７１は、制御部７０によって警報通報装置７の各部が制御されるための制御プログラムを格納している。
【００２２】
ＲＡＭ７２は、制御部７０の主メモリ、ワークエリア等として機能するものであり、また、センサ６が新聞受け５の受け部５０が出入枠２から取り外されたことを検出した場合に、警報を発生するとともに、所定の外部通信端末７７に異常発生を通報するまでの設定時間７２０を記憶している。この設定時間７２０は、玄関ドア１が設置された部屋の住人により受け部５０が出入枠２から取り外された場合のような異常がない場合に、警報の発生や異常発生の通報を行わないようにタイムラグを作るために設定される時間である。この設定時間７２０が経過するまでにキー８が鍵穴４３に差し込まれると、警報の発生や異常発生の通報を行わないようにしてもよく、この場合無駄な警報の発生や異常発生の通報を防止でき、好ましい。また、ＲＡＭ７２は、異常発生を通報する外部通信端末７７の通信先情報７２１を記憶している。この通信先情報７２１は、例えば、この玄関ドア１が設置された部屋の住人の携帯電話の番号や、警備会社の電話番号等であり、操作部７４により登録される。
【００２３】
通信部７３は、モデム７８及びＮＣＵ（Network Control Unit）７９を備えている。モデム７８は、例えばＩＴＵ−Ｔ（国際電気通信連合電気通信標準化部門）の勧告Ｖ．３４規格又はこれと同様のものに従った送受信データの変調及び復調を行うものである。ＮＣＵ７９は、電話回線を制御して電話をかけたり、切ったりする回線網制御装置であり、公衆交換電話網８０に接続されている。
【００２４】
操作部７４は、警報通報装置７の各種設定・登録を行うためのカーソルキー等、表示部７５と連動した各種操作キーを備えており、ユーザによる各種の入力操作は、この操作部７４において行われる。表示部７５は、液晶表示装置（ＬＣＤ：Liquid Crystal Display）、及びスピーカ等からなる。なお、表示部７５の液晶表示装置をタッチパネル式のものとし、操作部７４の代わりに表示部７５から警報通報装置７の各種設定・登録を行うようにしてもよい。
【００２５】
このように構成される警報通報装置７において、センサ６が新聞受け５の受け部５０の出入枠２からの離脱を検出した場合、制御部７０は、設定時間７２０が経過した後に表示部７５のスピーカから警告音を鳴動させて警報を発生するとともに、予めＲＡＭ７２に登録された通信先情報７２１に対応する外部通信端末７７に通信部７３を介して異常発生を通報する。
【００２６】
以上の説明より明らかなように、本発明の実施の形態に係る玄関ドア１によれば、新聞受け５の受け部５０により電気錠４の鍵穴４３が覆われて室外側に露出しないようになされているため、違和感なく鍵穴４３を隠すことができるとともに、ピッキング等を防止でき、高い防犯効果を得ることができる。
【００２７】
また、新聞受け５の受け部５０材が出入枠２から取り外された場合に、警報通報装置７により設定時間７２０が経過した後に警報を発生するとともに、所定の外部通信端末７７に異常発生が通報されるため、より高い防犯効果を得ることができる。
【００２８】
なお、本発明は上記実施形態に限定されるものではなく、本発明の要旨の範囲内で種々の変形実施が可能である。例えば、本実施形態では、鍵穴隠し部材として、新聞受け５を第１袖出入枠２２に取り付けたが、傘立て等であってもよい。また、電気錠４は、キー８のボタン８０が押されると施錠し、受信器４０にキー８がかざされると解錠するものとしたが、扉３が閉まると自動的に施錠し、キー８のボタン８０が押されるとと解錠するものであってもよい。また、センサ６が新聞受け５の受け部５０が出入枠２から取り外されたことを検出した場合、予めＲＡＭ７２に登録されたの通信先情報７２１に対応する外部通信端末７７に通信部７３を介して異常発生を通報するようにしているが、警報通報装置７に電子メール送信手段を備えておき、通信先情報７２１として外部通信端末７７のメールアドレスをＲＡＭ７２に登録し、電子メールで外部通信端末７７に異常発生を通報するようにしてもゆい。また、警報の発生として、スピーカーから警告音を鳴動させたが、光を発することにより警報を発生させてもよい。
【産業上の利用可能性】
【００２９】
本発明は、住宅やマンション、事務所等の建築物の玄関部に設けられる玄関ドアに利用可能である。
【図面の簡単な説明】
【００３０】
【図１】本発明の実施の形態に係る玄関ドアの構成の一例を示す室外側正面図である。
【図２】本発明の実施の形態に係る玄関ドアの構成の一例を示す室内側正面図である。
【図３】本発明の実施の形態に係る玄関ドアの構成の一例を示す平面断面図である。
【図４】電子錠に対応するキーの一例を示す正面図である。
【図５】警報通報装置の構成の一例を示すブロック図である。
【符号の説明】
【００３１】
１    玄関ドア
２    出入枠
３    扉
４    電子錠
５    新聞受け（鍵穴隠し部材）
６    センサ（検出手段）
７    警報通報装置（警報通報手段）
４１    シリンダーケース
４２    デットボルト（係止部材）
４３    鍵穴
【図１】
2007032150.tif 000003
【図２】
2007032150.tif 000004
【図３】
2007032150.tif 000005
【図４】
2007032150.tif 000006
【図５】
2007032150.tif 000007